(57)【要約】【課題】簡単な構成で、蓋体の開放保持及び過開放防止を行うことができる開閉機構を備えた照明器具を提供する。【解決手段】器具本体１０の基端１０Ａを支持体に支持させた照明器具１において、器具本体１０には、当該器具本体１０の天面１１Ｂに開口する開口部２４を覆う蓋体２２が備えられ、蓋体２２は、開閉軸２７によって器具本体１０に開閉自在に軸支され、器具本体１０には、開閉軸２７を上下に移動可能に受ける軸受け１９が設けられている。【選択図】図９
2018106990.tif 000002
【特許請求の範囲】
【請求項１】
器具本体の一端を支持体に支持させた照明器具において、
前記器具本体には、当該器具本体の天面に開口する開口部を覆う蓋体が備えられ、
前記蓋体は、開閉軸によって前記器具本体に開閉自在に軸支され、
前記器具本体には、前記開閉軸を上下に移動可能に受ける軸受けが設けられている
ことを特徴とする照明器具。
【請求項２】
前記器具本体は、前記一端の側の結線室と、他端の側の光源室とに仕切られており、
前記蓋体は、前記器具本体の天面に開口する前記結線室の開口部を覆うことを特徴とする請求項１に記載の照明器具。
【請求項３】
前記開閉軸は、前記蓋体の内側に設けられ、前記蓋体の閉状態で、前記蓋体に覆われる位置に備えられていることを特徴とする請求項１又は２に記載の照明器具。
【請求項４】
前記軸受けは、前記器具本体の天面に開放するＵ字状の溝を備え、前記開閉軸は、前記軸受けのＵ字状の溝に落とし込まれていることを特徴とする請求項１乃至３のいずれかに記載の照明器具。
【請求項５】
前記蓋体は、前記開閉軸を挟んで前記結線室を覆う部分と、反対側に延びる延長部とを備え、
前記器具本体の天面には、前記蓋体を開いて、前記開閉軸を前記軸受けの下端部に移動させた際に、前記延長部が嵌め込まれる凹部を備えていることを特徴とする請求項１乃至４のいずれかに記載の照明器具。
【請求項６】
前記延長部には、前記開閉軸を前記軸受けの上端部に移動させずに前記蓋体を閉じた際に、前記軸受けに引っ掛かり、前記蓋体が閉じるのを防止する段差が形成されていることを特徴とする請求項１乃至５のいずれかに記載の照明器具。
【請求項７】
前記器具本体の天面には、前記結線室の周りを囲む堰止壁が立設されていることを特徴とする請求項１乃至６のいずれかに記載の照明器具。
【発明の詳細な説明】
【技術分野】
【０００１】
本発明は、照明器具に関する。
【背景技術】
【０００２】
従来、道路脇や街路脇などの屋外に立設された支柱の上端に器具本体を支持し、路面を照明する道路灯として用いられる照明器具が知られている。近年では、道路灯においても、ＬＥＤを光源としたものが一般的になった。このような、ＬＥＤを光源とした照明器具では、光源の交換が不要であることから、光源を収めた光源部分を封止し、器具本体を支柱に取り付けるためのクランプが取り付けられる結線室を開閉自在な蓋体で覆っているものがある（例えば、特許文献１参照）。
【０００３】
また、結線室での作業時の作業スペースを十分に確保するために、蓋体を結線室の背面側に大きく開放する構成とした照明器具が知られている（例えば、特許文献２参照）。このような照明器具では、蓋体の過開放を防ぐとともに、手を離しても蓋体を開いた状態で支持する支持棒が備えられている。
【先行技術文献】
【特許文献】
【０００４】
【特許文献１】特開２０１２−０３８６７１号公報
【特許文献２】特開２０１４−５９９８４号公報
【発明の概要】
【発明が解決しようとする課題】
【０００５】
しかしながら、結線室の蓋体の開放保持、及び、過開放防止を支持棒で行う構成では、部品点数が多く、機構が複雑であるため加工工程も多く、さらには、開閉作業の作業性も悪いという問題があった。
そこで本発明は、上述した事情に鑑みてなされたものであり、簡単な構成で、蓋体の開放保持及び過開放防止を行うことができる開閉機構を備えた照明器具を提供することを目的とする。
【課題を解決するための手段】
【０００６】
本発明は、器具本体の一端を支持体に支持させた照明器具において、前記器具本体には、当該器具本体の天面に開口する開口部を覆う蓋体が備えられ、前記蓋体は、開閉軸によって前記器具本体に開閉自在に軸支され、前記器具本体には、前記開閉軸を上下に移動可能に受ける軸受けが設けられていることを特徴とする。
【０００７】
また、上記照明器具において、前記器具本体は、前記一端の側の結線室と、他端の側の光源室とに仕切られており、前記蓋体は、前記器具本体の天面に開口する前記結線室の開口部を覆うことを特徴としても良い。
【０００８】
また、上記照明器具において、前記開閉軸は、前記蓋体の内側に設けられ、前記蓋体の閉状態で、前記蓋体に覆われる位置に備えられていることを特徴としても良い。
【０００９】
また、上記照明器具において、前記軸受けは、前記器具本体の天面に開放するＵ字状の溝を備え、前記開閉軸は、前記軸受けのＵ字状の溝に落とし込まれていることを特徴としても良い。
【００１０】
また、上記照明器具において、前記蓋体は、前記開閉軸を挟んで前記結線室を覆う部分と、反対側に延びる延長部とを備え、前記器具本体の天面には、前記蓋体を開いて、前記開閉軸を前記軸受けの下端部に移動させた際に、前記延長部が嵌め込まれる凹部を備えていることを特徴としても良い。
【００１１】
また、上記照明器具において、前記延長部には、前記開閉軸を前記軸受けの上端部に移動させずに前記蓋体を閉じた際に、前記軸受けに引っ掛かり、前記蓋体が閉じるのを防止する段差が形成されていることを特徴としても良い。
【００１２】
また、上記照明器具において、前記器具本体の天面には、前記結線室の周りを囲む堰止壁が立設されていることを特徴としても良い。
【発明の効果】
【００１３】
本発明では、器具本体の天面に開口する開口部を覆う蓋体が備えられ、前記蓋体は、開閉軸によって前記器具本体に開閉自在に軸支され、前記器具本体には、前記開閉軸を上下に移動可能に受ける軸受けが設けられている。このため、蓋体の開閉軸を軸受け内で上下に移動させるという簡単な構成で、蓋体の開放保持及び過開放防止を行うことができる。
【図面の簡単な説明】
【００１４】
【図１】本発明の実施形態に係る照明器具を下方からみた斜視図である。
【図２】照明器具を上方からみた斜視図である。
【図３】照明器具を下方から見た平面図である。
【図４】蓋体を開いた状態を示す斜視図である。
【図５】蓋体を器具本体から取り外した状態を示す斜視図である。
【図６】蓋体を示す図であり、（Ａ）は平面図、（Ｂ）は背面図、（Ｃ）は側面図である。
【図７】蓋体の断面図であり、図６のＡ−Ａ断面図である。
【図８】器具本体を幅の略中央で切断した断面図であり、（Ａ）は蓋体を閉じた状態を示す図であり、（Ｂ）は蓋体を開いた状態を示す図である。
【図９】器具本体を幅の略中央で切断した断面図であり、（Ａ）は開いた蓋体の延長部が係止溝に嵌め込まれている状態を示す図であり、（Ｂ）は蓋体の延長部が引掛部に引っ掛かっている状態を示す図である。
【発明を実施するための形態】
【００１５】
以下、図面を参照して本発明の実施形態について説明する。
図１は本実施形態に係る照明器具１を下方からみた斜視図であり、図２は照明器具１を上方からみた斜視図である。図３は照明器具１を下方から見た平面図であり、照明器具１の内部を示すために、前面カバー１２及び前面枠１３を取り外した状態の照明器具１を示している。
【００１６】
照明器具１は、屋外に設置して、例えば道路照明として用いられる。図１〜図３に示すように、照明器具１は、器具本体１０を備え、器具本体１０の長手の一端である基端１０Ａを、道路脇、街路脇、駐車場、公園などの屋外に立設された不図示のポール型の支柱の上端部に支持させて設置される。照明器具１は、例えば、器具本体１０の基端１０Ａから先端１０Ｂ（他端）に向かう長さＬの方向を道路の幅員方向に合わせて、幅Ｗの方向を道路の車線軸方向に合わせて、道路脇に設置される。また、照明器具１は、構造物の壁面からアーム状に延びる不図示の支持部材に器具本体１０の基端１０Ａを支持させて設置されても良い。器具本体１０の基端１０Ａの側には、照明器具１を支柱や支持部材に支持させるためのクランプ５が取り付けられている。
【００１７】
器具本体１０は、平面視略矩形状を成している。また、器具本体１０は、長さＬが幅Ｗよりも大きい縦長形状であり、上下方向の厚さＴが、長さＬや幅Ｗに対して薄い、薄型の器具である。
器具本体１０は、筐体１１と、前面カバー１２と、前面枠１３と、を備えている。筐体１１と、前面カバー１２と、前面枠１３と、は屋外使用に十分に耐え得る耐食性、及び強度を有する部材から形成されている。筐体１１は、高い熱伝導性を有する材料から形成され、例えばアルミニウムやアルミニウム合金等から成る鋳造物（所謂ダイキャスト製）であるのが望ましい。筐体１１は、その内部が器具本体１０の基端１０Ａの側の結線室２１と、先端１０Ｂの側の光源室５８とに仕切り５６で仕切られている（図４参照）。結線室２１には後述するクランプ５が配設され、光源室５８には後述する光源部５０が配設されている。
【００１８】
前面カバー１２は、耐食性、及び強度を有するガラスやポリカーボネート等の材料から形成され、光透過性を有している。前面枠１３は、アルミニウムやアルミニウム合金等から成る鋳造物であっても良いし、耐食性、及び強度を有する強化プラスチック等の金属以外の材料から形成されていても良い。
器具本体１０は、基端１０Ａの側に、基部２０を備えている。基部２０は、筐体１１に一体に形成されている。基部２０には、器具本体１０を支柱や支持部材に取り付けるためのクランプ５が取り付けられている。
【００１９】
筐体１１は、設置状態で被照射面に対向する面である下面１１Ａが開放した箱型に形成されている。光源室５８は、筐体１１の開放した下面１１Ａによって外部に露出される。前面カバー１２は、筐体１１の開放した下面１１Ａを覆い、光源室５８の内部の防水を図るように構成されている。前面カバー１２には、外輪の全周に沿ってパッキン１８が取り付けられ、当該パッキン１８によって前面カバー１２と光源室５８の内面との間が水密にシールされる。
【００２０】
前面枠１３は、筐体１１の下面１１Ａに前面カバー１２を固定するために用いられ、外輪形状が筐体１１の外輪形状と略同一の枠状に形成されている。前面枠１３には、前面カバー１２を被照射面に臨ませる出射開口１４が設けられている。パッキン１８は、前面カバー１２の外輪と、筐体１１の内面との間に介在すると共に、筐体１１の下面１１Ａと、前面枠１３との間に介在するように構成された断面略Ｕ字状に形成されている。これにより、筐体１１は、前面カバー１２を前面枠１３によって下面１１Ａに固定することで、下面１１Ａが閉塞され、光源室５８の内部が防水される。
【００２１】
器具本体１０内には、図３に示すように光源部５０が収められている。光源部５０は、発光素子の一例であるＬＥＤ５３を光源として複数備えている。また、光源部５０は、複数のＬＥＤ５３が実装された実装基板５１と、ＬＥＤ５３の光を制御する光学部材５５とを備えている。光学部材５５には、各ＬＥＤ５３を覆って配置されるレンズ５４が、各ＬＥＤ５３に対応させて複数設けられている。光源部５０は、発光面側を前面カバー１２に対向させて配置されている。これによって、照明器具１は、光源部５０からの光が前面カバー１２を通して出射開口１４から出射され、被照射面を照射するように構成されている。
【００２２】
また、筐体１１の内部には、光源部５０に並べて、電源部６０が収められている。電源部６０は、照明器具１の外部から供給される商用電力を、光源部５０の規格に合せて電力変換する機器である。なお、電源部６０は器具本体１０の内部に収められている構成に限らず、図示は省略するが、照明器具１を支持する支柱などの支持部材の内部に収められている構成であっても良い。
【００２３】
筐体１１の天面１１Ｂには、複数の放熱フィン１６が設けられている。放熱フィン１６は、天面１１Ｂにおいて、天面１１Ｂの裏面である筐体１１の内側の面で、光源部５０が熱的に接続されて取り付けられている位置に対応させて設けられている。これによって、光源部５０からの熱が、筐体１１から放熱フィン１６に伝えられて、放熱フィン１６から雰囲気に放熱される。よって、光源部５０が高温となることが無く、ＬＥＤ５３が熱影響を受けにくい構成とすることができる。
【００２４】
図４は、基部２０の内部構成を示す図である。図４に示すように、基部２０は、中空箱型に形成され、内部空間が結線室２１として構成されている。結線室２１には、光源室５８に連通する配線孔２３が設けられている。結線室２１の内部では、クランプ５を通して基部２０内に引き込まれた配線が、光源室５８に収容された光源部５０及び電源部６０から配線孔２３を介して結線室２１に引き込まれた配線と結線される。配線孔２３には、配線孔２３をシールするための不図示のブッシングが嵌合されていても良い。
【００２５】
筐体１１の天面１１Ｂには、結線室２１の内部を露出する開口２４が形成されている。開口２４は、結線室２１の天井に対応する箇所の天面１１Ｂに亘る範囲を露出するように形成されている。筐体１１の天面１１Ｂには、開口２４を覆う蓋体２２が設けられている。筐体１１は、蓋体２２を開いた際には、結線室２１の天井に対応する箇所の全体が開放され、結線室２１での作業が容易となるように構成されている。
図４は蓋体２２を開いた状態を示し、図５は蓋体２２を取り外した状態を示す、器具本体１０の斜視図である。
図４、図５に示すように、蓋体２２は、筐体１１の天面１１Ｂに開閉軸２７によって開閉自在に取り付けられている。蓋体２２の開閉側端部２Ｂ及び、器具本体１０の基端１０Ａには、蓋体２２と器具本体１０とをねじ止めするねじが螺入される螺子孔６が形成されている。
【００２６】
蓋体２２は、結線室２１の開口２４を閉塞するものであり、閉じられた際には、結線室２１の内部を防水構造とするように構成されている。筐体１１の天面１１Ｂには、開口２４の縁に沿って堰止壁２５が設けられている。堰止壁２５は、天面１１Ｂから上方に突設され、開口２４の全周囲を囲む堤防状に設けられている。
蓋体２２には、堰止壁２５を外側から囲み、蓋体２２の底面２２Ｂと、筐体１１の天面１１Ｂとの間から雨水等の水が結線室２１内に入り込むのを防ぐ止水部２６が設けられている。
【００２７】
蓋体２２は、筐体１１の天面１１Ｂの略中央に設けた軸受け１９に、開閉軸２７が軸支されて、筐体１１に取り付けられる。より正確には、軸受け１９は、結線室２１と光源室５８との境界付近に設けられている。このように、蓋体２２は、器具本体１０の基端１０Ａ側から開閉できるように構成され、蓋体２２を開いた場合には、蓋体２２が天面１１Ｂの上に移動する。開閉軸２７は、蓋体２２の内側に設けられ、器具本体１０の幅方向に沿って延びている。また、軸受け１９は、天面１１Ｂに突設され、開閉軸２７が上方から差し込み可能な、Ｕ字状の溝１９Ａを有している。
【００２８】
開閉軸２７は、蓋体２２の内側に突設されたボス部２８間に橋架され、蓋体２２の天面２２Ａからは離れた位置に配設される。この部分の構造については後で詳述する。
軸受け１９は、ボス部２８間に収まる幅寸法に形成され、ボス部２８間に橋架された開閉軸２７を上方からＵ字状の溝１９Ａに収めることができるように構成されている。開閉軸２７は、軸受け１９の溝１９Ａの内側に落とし込まれる。軸受け１９には、上方からねじ９がねじ込まれ、このねじ９の座面、又は、当該座面に設けたワッシャーによって軸受け１９の上端開放部１９Ｂが、軸受け１９の溝１９Ａの内側に落とし込まれた開閉軸２７が軸受け１９の上端開放部１９Ｂから抜け出ないように閉じられる。図示しない金具を追加して、軸受け１９の上端開放部１９Ｂが完全に覆われるようにしてもよい。
【００２９】
図６、図７を蓋体２２の構成を示す図である。図６（Ａ）は蓋体２２を天面２２Ａ側から示す平面図、図６（Ｂ）は蓋体２２を開閉側端部２Ｂ側から示す背面図、図６（Ｃ）は蓋体２２の側面図である。図７（Ａ）は、図６（Ａ）のＢ−Ｂ断面図であり、蓋体２２の幅の略中央の断面図である。図７（Ｂ）は、図６（Ａ）のＡ−Ａ断面図であり、蓋体２２のボス部５８の位置での断面図である。図６、図７を用いて、以下に、蓋体２２の構成について説明する。
【００３０】
図６、図７に示すように、蓋体２２は、軸支側端部２Ａに、蓋体２２の天面２２Ａを外側に張り出させて形成した延長部３１を備えている。延長部３１は、蓋体２２の軸支側端部２Ａの幅に亘って設けられている。
【００３１】
蓋体２２の軸支側端部２Ａには、天面２２Ａから蓋体２２の内側に突出するボス部２８が設けられている。ボス部２８は、軸支側端部２Ａの幅の両端部にそれぞれ設けられている。一対のボス部２８の端面２８Ａには、開閉軸２７が中に入るような軸保持溝２９が設けられている。軸保持溝２９の開口端２９Ａは、ボス部２８にねじ込まれたねじ８の座面、又は、座面に設けられたワッシャーによって塞がれる。このように軸保持溝２９の開口端２９Ａをねじ８で塞ぐことで、開閉軸２７は、軸保持溝２９から抜け出せない状態で、蓋体２２に保持される。本実施例では加工及び組立を容易にするため、開閉軸２７の直径を４．０ｍｍとし、軸保持溝２９の幅を４．４ｍｍとすることで、多少の加工誤差があっても開閉軸２７が確実に軸保持溝２９の中に入るように設計されている。開閉軸２７が軸方向に移動すると、蓋体２２の側面内壁にぶつかり、それ以上は移動できない。もちろんねじ８を締め付けることで、開閉軸２７が軸保持溝２９に押し付けられて動かなくなるような構成としても良い。
【００３２】
延長部３１は、蓋体２２の軸支側端部２Ａに固定された開閉軸２７を覆って、開閉軸２７より後方に張り出している。蓋体２２は、延長部３１と、開閉軸２７との間に隙間Ｇを有して、開閉軸２７を保持している。蓋体２２は、詳細については後述するが、この隙間Ｇに軸受け１９の外側壁１９Ｃが挿入されて支持されるように構成されている。
【００３３】
蓋体２２の開閉側端部２Ｂには、底面２２Ｂに、蓋体２２の開閉時に取っ手として用いられる取っ手凹部３が設けられている。取っ手凹部３は、止水部２６の外側に設けられている。器具本体１０の基端１０Ａには、この取っ手凹部３の下方に対応する位置に切り欠き部４が設けられている（図４参照）。蓋体２２を開く際には、まず、蓋体２２と器具本体１０とを固定するねじ（不図示）を外す。次に、蓋体２２の取っ手凹部３に器具本体１０の切欠き部４から手をかけて、蓋体２２を上方向に持ち上げる。これにより、蓋体２２が器具本体１０の上方に移動し、結線室２１の内部が露出される。
【００３４】
図８、図９は、蓋体２２の開閉動作を示す断面図である。
図８（Ａ）は蓋体２２が閉じられている状態の器具本体１０の断面図である。図８（Ａ）に示すように、延長部３１は、蓋体２２が閉じられている状態で、軸受け１９の後方（先端１１Ｂ側）に出張るように形成されている。
図８（Ｂ）は蓋体２２を開いた状態の器具本体１０を示す断面図である。図８（Ｂ）に示すように、筐体１１の天面１１Ｂには、軸受け１９の光源室５８の側の縁に沿って係止溝３５が形成されている。係止溝３５は、少なくとも、蓋体２２の延長部３１の幅と同じ長さを有する。また、係止溝３５は、開閉軸２７が軸受け１９の溝１９Ａの内側に軸支され、溝１９Ａの上端部に位置している状態で、蓋体２２が開閉した際に、延長部３１と干渉しない開口幅を有している。
【００３５】
図９（Ａ）は、蓋体２２が開位置で支持されている状態を示す器具本体１０の断面図である。図９（Ａ）に示すように、軸受け１９は、Ｕ字状の溝１９Ａの深さが開閉軸２７の直径よりも数倍長く、溝１９Ａの内側で上下に移動可能に開閉軸２７を受けている。蓋体２２は、開閉軸２７が軸受け１９の溝１９Ａの上部に軸支された状態の際に、開閉軸２７を中心に回転し、開閉するように構成されている。そして、蓋体２２は、開閉軸２７を中心に回転して開いた後、開閉軸２７を軸受け１９の溝１９Ａの下部に下げることで、延長部３１が係止溝３５の下端の嵌合部３６に入り込むように構成されている。嵌合部３６は、延長部３１の先端部３２が嵌り込み、蓋体２２の開閉方向への回転移動を制止するように構成されている。
【００３６】
蓋体２２は、このように、開閉軸２７を軸受け１９内で下方に移動させるだけで、延長部３１を、筐体１１の天面１１Ｂに設けられた係止溝３５に入れ込んで係止することができ、簡単に開位置で開放保持することができる。
また、蓋体２２は、開位置では、延長部３１が係止溝３５に係止されて、それ以上開く方向への回転移動が禁止される。よって、蓋体２２は、開位置からさらに開くことが無く、過開放を簡単に防止することができる。
【００３７】
図９（Ｂ）は、蓋体２２を開位置から閉じる方向に回転させている状態を示す図であり、開閉軸２７を軸受け１９の上端部まで移動させずに、開閉軸２７が溝１９Ａの略中間位置にある状態で、蓋体２２を閉じる方向に回転させている状態を示している。図７（Ａ）に示したように、延長部３１には、蓋体２２の内側に段差を形成する係止凸部３１Ａが設けられている。蓋体２２は、開閉軸２７を軸受け１９の溝１９Ａの上端部まで移動させる前に、閉じる方向への回転を行った場合には、係止凸部３１Ａが軸受け１９の外側壁１９Ｃの上辺に引っ掛かり、蓋体２２の回転が制止される。つまり、蓋体２２は、開位置と、係止凸部３１Ａが軸受け１９の上辺に引っ掛る位置との２カ所で止まるように構成されている。このように、蓋体２２には、２段階の閉じ防止機構が備えられている。
【００３８】
以上説明したように、本実施形態では、器具本体１０の基端１０Ａを支持体に支持させた照明器具１において、器具本体１０には、当該器具本体１０の天面１１Ｂに開口する開口部２４を覆う蓋体２２が備えられ、蓋体２２は、開閉軸２７によって器具本体１０に開閉自在に軸支され、器具本体１０には、開閉軸２７を上下に移動可能に受ける軸受け１９が設けられている。
この構成によれば、開閉軸２７を、器具本体１０に設けられた軸受け１９内で上下に移動させるという簡単な構成で、支持棒などの部材を用いることなく、蓋体２２の開放保持、及び、過開放防止を行うことができる。
【００３９】
また、本実施形態では、器具本体１０は、基端１０Ａの側の結線室２１と、先端１０Ｂの側の光源室５８とに仕切られており、蓋体２２は、器具本体１０の天面１１Ｂに開口する結線室２１の開口部２４を覆う。この構成によれば、結線室２１の内部への作業を行う際には、蓋体２２を開いた器具本体１０の天面１１Ｂに設けられた開口部２４から行うことができる。蓋体２２は、簡単な構成で開放保持、及び、過開放防止を行うことができる構成であるため、結線室２１での作業の安全性、及び、作業性を向上することができる。
【００４０】
また、本実施形態では、開閉軸２７は、蓋体２２の内側に設けられ、蓋体２２の閉状態で、蓋体２２に覆われる位置に備えられているこの構成によれば、開閉軸２７、及び、軸受け１９を蓋体２２の内側に収めることができる。よって、開閉軸２７、軸受け１９、及び、その周辺部材を外側から見えないようにすることができ、美観が向上する。また、開閉軸２７、軸受け１９、及び、その周辺部材は、蓋体２２の開閉によって互いに擦れて、塗装などの表面処理が剥がれる場合がある。本実形態では、開閉軸２７、軸受け１９、及び、その周辺部材を蓋体２２の閉状態で、蓋体２２に覆われる位置に備えているため、外側から見えないように蓋体２２の内側に収めることができる。これにより、蓋体２２の開閉によって塗装などが剥がれた場合でも、美観を保つことができ、開閉軸２７に直接風雨や鳥の糞が当たる事が無く、開閉軸２７の腐食が無い。
【００４１】
また、本実施形態では、軸受け１９は、器具本体１０の天面１１Ｂに開放するＵ字状の溝１９Ａを備え、開閉軸２７は、軸受け１９のＵ字状の溝１９Ａに落とし込まれている。ている。この構成によれば、軸受け１９のＵ字状の溝１９Ａに、器具本体１０の天面１１Ｂ側から開閉軸２７を落とし込むだけで、蓋体２２を器具本体１０に簡単に軸支させることができる。また、軸受け１９をＵ字状の溝１９Ａを有する構成とすることで、簡単に開閉軸２７を軸受け１９内で上下に移動可能に受ける構成とすることができる。
【００４２】
また、本実施形態では、蓋体２２は、軸受け１９の後方に出張る延長部３１を備え、器具本体１０の天面１１Ｂには、蓋体２２を開いて、開閉軸２７を軸受け１９の溝１９Ａの下端部に移動させた際に、延長部３１が嵌め込まれる係止溝３５が備えられている。この構成によれば、蓋体２２を開いて、開閉軸２７を軸受け１９の溝１９Ａ内で下方に移動させることで、延長部３１が器具本体１０の天面１１Ｂの係止溝３５に嵌め込まれる。これによって、蓋体２２を開いた状態で安定して保持することができる。よって、蓋体２２を開放している状態で突風が吹いたりした場合でも、蓋体２２の開放保持と、過開放防止と安全に行うことができる。また、照明器具１は、高所に取り付けられて用いられる場合が多く、蓋体２２を開閉しての作業も高所で行われることとなる。本実施形態によれば、蓋体２２を開けての延長部３１を器具本体１０の天面１１Ｂに設けられた係止溝３５に嵌め込むように、開閉軸２７を溝１９Ａ内で下方に移動させるだけで、蓋体２２の開放保持と、過開放防止とを行うことができる。よって、高所の作業であっても、簡単に、且つ、安全に、蓋体２２の開閉を行うことができる。
【００４３】
また、本実施形態では、延長部３１には、開閉軸２７を軸受け１９の溝１９Ａの上端部に移動させずに蓋体２２を閉じた際に、軸受け１９に引っ掛かり、蓋体２２が閉じるのを防止する段差３１Ａが形成されている。この構成によれば、蓋体２２が閉じる方向に動いている途中一旦止まる。よって、蓋体２２の閉じ防止を２段階で行うことができ、より安全に蓋体２２を閉じ防止構造とすることができる。
【００４４】
また、本実施形態では、器具本体１０の天面１１Ｂには、結線室２１の周りを囲む堰止壁２５が立設されている。この構成によれば、器具本体１０の天面１１Ｂと、蓋体２２との間の隙間から、雨水等の水が結線室２１内に入り込むのを防ぐことができる。よって、結線室の防水構造とすることができる。
【００４５】
なお、上述した実施形態は、あくまでも本発明の一態様を例示するものであって、本発明の趣旨を逸脱しない範囲で任意に変形、及び応用が可能である。
【００４６】
例えば、上述した実施形態において、照明器具１を道路照明として用いる場合を例に説明したが、これに限らず、任意の照明器具に適用できる。
【００４７】
また、上述した実施形態において、光源部５０が備える発光素子の一例としてＬＥＤ５３を例示したが、発光素子は、ＬＥＤ５３ではなく有機ＥＬ素子などの他の素子でもよい。
【符号の説明】
【００４８】
１  照明器具
２Ａ  軸支側端部
５  クランプ
１０  器具本体
１０Ａ  基端
１０Ｂ  先端
１１  筐体
１１Ｂ  天面
１９  軸受け
１９Ａ  溝
１９Ｂ  上端開放部
１９Ｃ  外側壁
２１  結線室
２２  蓋体
２２Ａ  天面
２２Ｂ  底面
２４  開口
２５  堰止壁
２７  開閉軸
３１  延長部
３１Ａ  係止凸部（段差）
３５  係止溝
５０  光源部
５８  光源室
Ｇ  隙間
【図１】
2018106990.tif 000003
【図２】
2018106990.tif 000004
【図３】
2018106990.tif 000005
【図４】
2018106990.tif 000006
【図５】
2018106990.tif 000007
【図６】
2018106990.tif 000008
【図７】
2018106990.tif 000009
【図８】
2018106990.tif 000010
【図９】
2018106990.tif 000011